(57)【要約】　　　（修正有）【課題】操作し易くエアクッション内の空気圧力調節を常に容易に行うことができる，エアクッションの空気充填排出制御装置を提供する。【解決手段】エアクッションの空気充填排出制御装置は、有線コントローラ１１によって制御されるモータ１２とファン羽根１３とを内装するケーシング１と、ケーシングの載置される上部カバー２とを備えている。フィルム３５によって閉塞される空気排出ノズル３が、ケーシングの外側に設けられている。支持板４がファン羽根の上方に配置され、かかる支持板は、上面に変圧器４１と有線コントローラによって制御される電磁弁４２とが取り付けられている。押し板は、電磁弁の磁気ロッドの前端連結され、フィルムを押し開くためにケーシングから突出し空気排出ノズル内３に延びる押しロッド４４を有している。従って、本装置は、エアクッションの弾力性を調整するために、有線コントローラ又は手動制御によって制御することができる。【選択図】　　　　　図１
2004036466.tif 000002
【特許請求の範囲】
【請求項１】
ケーシングと、上部カバーと、空気排出ノズルと、支持板とを備えたエアクッションの空気充填排出制御装置において、
前記ケーシングは、有線コントローラによって操作されるモータとモータによって駆動するファン羽根とを内装し、ケーシングの一つの壁には前側で空気排出ノズルと連設する貫通穴が穿設され、空気排出ノズルは、円筒状に形成されていると共に、周囲に螺合するナットと内部に挿着された中空フレーム状のトリガー部材とを備え、トリガー部材は、中心ロッド周りに取り付けられたバネを有すると共に、バネの一端部は、トリガー部材を押し付けて空気排出ノズル内に常に位置させておくために、空気排出ノズルの内周面に形成された環状突起に係止され、トリガー部材には、空気排出ノズルを閉塞するためのフィルムが前側に設けられ、支持板はケーシングのファン羽根の上方に取り付けられ、支持板の上側には変圧器と電磁弁とが取り付けられ、電磁弁は、空気排出ノズルに対向した一端部に押し板が取り付けられた磁気ロッドを有し、押し板は、ケーシングから突出して空気排出ノズル内に延びる押しロッドをその一端部に備え、押し板には、さらに下方に向けて突出するピンがその底部に取り付けられ、ピンは中間ロッドの一端部に枢支され、中間ロッドは、支持板上の支持スタッドを受ける貫通穴を中央位置に有し、且つ便利に操作するために一端部がケーシングの外側に突出していることを特徴とするエアクッションの空気充填排出制御装置。
【請求項２】
中間ロッドは、ケーシングの外側に突出した一端部に、摺動ブロックが枢支されていることを特徴とする請求項１に記載のエアクッションの空気充填排出制御装置。
【発明の詳細な説明】
【０００１】
【発明の属する技術分野】
本発明は、エアクッションの空気充填排出制御装置、特に、ワイヤー制御と手動制御の何れか一方に切り替えて使用することができ、操作し易くエアクッション内の空気圧力調節を常に容易に行うことができるエアクッションの空気充填排出制御装置に関する。
【０００２】
【従来の技術】
従来、空気充填機は、エアクッション内に空気を充填するために使用される。かかる空気充填機は、一体的に形成された空気排出ノズルと、ファン羽根と共に内部に取り付けられた単純なモータとを備え、ファン羽根は、エアクッション内に空気を充填するために、モータが回転することによって駆動するように構成されている。
【０００３】
【発明が解決しようとする課題】
しかしながら、ファン羽根は、空気を充填する機能しか持っていない。例えば、使用者がエアクッションの上に寝たときににエアクッションが硬すぎて、エアクッションから幾分かの空気を抜きたいと思った場合、エアクッションから空気を排出するために、起き上がって空気充填機をエアクッションから取外さなければないない。従って、操作が不便であり、エアクッションの適切な弾力性を調節することが困難であった。
【０００４】
本発明は、斯かる実情に鑑み、操作し易くエアクッション内の空気圧力調節を常に容易に行うことができるエアクッションの空気充填排出制御装置を提供することを課題とする。
【０００５】
【課題を解決するための手段】
本発明の特徴としては、有線コントローラによって制御されるモータ及びモータによって駆動するファン羽根が内装されたケーシングと、該ケーシングに取り付けられた上部カバーとを備えている。該ケーシングの前面壁には、エアクッション内の空気を外部に流出させるために、前方に空気排出ノズルが連設された貫通穴が穿設されている。空気排出ノズルは、円筒状に形成され、該空気排出ノズルの外周面にはナットが螺合していると共に、内部には中空のフレーム状に形成されたトリガー部材が挿着されている。さらに、トリガー部材の中心ロッド周りにはバネが取り付けられていると共に、バネの一端部は、トリガー部材を押し付けて空気排出ノズル内に常に位置させておくために空気排出ノズルの内周面に形成された環状突起に係止されている。さらに、トリガー部材の前方には、空気排出ノズルを閉塞するためのフィルムが設けられている。その上、ファン羽根の上方には支持板が設けられ、該支持板の上面には変圧器や有線コントローラによって制御される電磁弁が取り付けられている。電磁弁は、空気排出ノズルに対向した一端部に押し板が取り付けられた磁気ロッドを備えている。その上、押し板は、前記フィルムを押し開くためにケーシングより突出し空気排出ノズルの中へ延出している押しロッドをその一端部が備えている。さらに、押し板には、中間ロッドの一端部に枢着するピンが下方に向けて突出している。中間ロッドは、支持板上の支持スタッドを受けるための貫通穴を中央位置に有し、他端がケーシングより突出して摺動ブロックに接続されている。上述の如く、本発明の装置は構成されている。
【０００６】
【発明の実施の形態】
本発明に係るエアクッションの空気充填排出制御装置の好ましい形態は、図１に示す如く、ケーシング１と、上部カバー２と、空気排出ノズル３と、支持板４とを基本構成として備え、互いに組み合わされている。
【０００７】
ケーシング１は、有線コントローラ１１によって制御されるモータ１２と、該モータ１２によって駆動するファン羽根１３とを内設すると共に、ケーシング１には、エアクッション内の空気を外部に流出させるための空気排出ノズル３を外側に連設する貫通穴１４が前壁に穿設されている。空気排出ノズル３は、円筒状に形成され、該空気排出ノズル３の外周面にはナット３１が螺合していると共に、内部には環状のトリガー部材３２が挿着されている。該トリガー部材３２は、図２に示す如く、中空のフレーム状に形成され、当該トリガー部材３２におけるセンターロッド周りにバネ３３が取りつけられている。該バネ３３の前端は、トリガー部材３２が常に空気排出ノズル３の内部に位置するように、当該トリガー部材３２を押し付ける手段として空気排出ノズル３の内周面に形成された環状突起３４に係止されている。その上、トリガー部材３２の前方には、空気排出ノズル３を閉塞するためのフィルム３５が設けられている。
【０００８】
前記支持板４は、ケーシング１に設けられ、ケーシング１のファン羽根１３の上方に取り付けられている。支持板４は、変圧器４１と、有線コントローラ１１によって制御される電磁弁４２とを、その上側に備えている。電磁弁４２は、磁気ロッド４２１と、磁気ロッド４２１の空気排出ノズル３と対向する一端部に取り付けられた押し板４３とを備えている。さらに、押し板４３は、その一端部に取り付けられ、ケーシング１の壁面より突出し空気排出ノズル３内まで延びる押しロッド４４と、押し板４３の底面に位置し、くの字状に形成された中間ロッド４５の一端部に回転可能に接続するために、下方に向かって突出するピン４３１とを備えている。中間ロッド４５は、支持板４上の支持スタッド４６を受けるために、中央位置に貫通穴４５１を備えている。かかる中間ロッド４５の他端は、ケーシング１より突出して、摺動ブロック４５２と枢着している。さらに、上部カバー２は、底部が窪んでおり、支持板４の上方に取り付けられている。
【０００９】
そして、図２に示す如く、組み立てるには、最初に、空気排出ノズル３を閉塞するフィルム３５を内側へ向かってトリガー部材３２が引き付けるように、バネ３３を環状突起３４に対して取り付ける。次に、支持板４をファン羽根１３の上方位置でケーシング１に取り付け、電磁弁４２の外側にある押しロッド４４をケーシング１から突出させて、空気排出ノズル３内まで延存させる。その上、摺動ブロック４５２を有する中間ロッド４５の一端部をケーシング１の外側に突き出す。最後に、上部カバー２が支持板４の上に取り付けられる。このようにして、エアクッションに空気を充填したり、エアクッションから空気を排出するための装置が完成される。
【００１０】
使用する場合は、図３に示す如く、初めにエアクッション（図示しない）の空気取入れノズル５が空気排出ノズル３に差し込まれ、それから空気取入れノズル５の周りにナット３１を螺着する。本発明に係る装置は、エアクッションの外側に位置させている。次に、有線コントローラ１１によってモータ１２を始動してファン羽根１１を回転させると、貫通穴１４を通って空気排出ノズルへ送風されて、エアクッションに内に空気を入れて膨らませるためにトリガー部材３２とフィルム３５とが自動的に押し開く。エアクッションが好ましい弾性力に膨らんだとき、図２に示す如く、モータ１２と同時にファン羽根１３を停止させると、その一方でトリガー部材３２及びフィルム３５を押していた風がそれ以上なくなると共に、元の位置に戻るバネ３３と、空気排出ノズル３を元の位置に戻すエアクッション内からの逆押し力によって空気排出ノズル３が閉塞する方向にトリガー部材３２及びフィルム３５が戻る。従って、エアクッション内の空気は全く漏れることがない。
【００１１】
さらに加えて、エアクッションが、硬くなり過ぎて、大量の空気を排出させる必要がある場合は、磁気ロッド４２１が押し板４４を押して当該押し板４４が空気排出ノズル３の一方側に向けて動くように電磁弁４２を作動させるために有線コントローラ１１を操作する。すると、同時に押し板４３の押しロッド４４がフィルム３５と密着して動くように作動し、押しロッド４４の先端でフィルム３５を押し開く。そうすると、エアクッションを柔らかくするために、エアクッション内の空気がフィルム３５と空気排出ノズル３との隙間を通って排出される。従って、好みに応じて、図２に示す如く、電磁弁４２の電気を遮断状態にするように有線コントローラ１１を操作してエアクッションからの空気の排出を止め、押し板４３、押しロッド４４及びフィルム３５を全て最初の位置に戻すタイミングを使用者が決めることができる。
【００１２】
これに対し、心地よい状態を得るためにエアクッションから少しだけ空気を排出させたいならば、図５に示す如く、ケーシング１の外側に位置する摺動ブロック４５２を動かすために手で押し、中間ロッド４５が支持スタッド４６を支点として偏心的に回転作動させることで手動制御を行うことができる。そうすると、中間ロッド４５は、押し板４３及び押しロッド４４がフィルム３５に向けて移動するように作動し、そうすると、エアクッション内の空気をフィルム３５と空気排出ノズル３との隙間を通って徐々に流出させてエアクッションをゆっくりと柔らかくするために、押しロッド４４の前端は直接フィルム３５を押し開く。さらに、図２に示す如く、エアクッション内の空気の排出は、再びフィルム３５が空気排出ノズル３を閉塞する状態に戻るように摺動ブロック４５２を開放するまで、少しずつ続けることができる。要約すると、有線コントローラ１１を用いて空気充填のためにモータ１２を始動させたり、空気排出のために電磁弁４２を始動させる、あるいは、空気排出のために手で摺動ブロック４５２を動かすことで、エアクッションを比較的快適な状態に調整することができる。使用者のニーズを満たすための移動性を備えていることは明らかである。
【００１３】
本発明は、上記の記述からも理解できるように、明らかに次の利点を備えている。
【００１４】
１．本発明に係るエアクッションの空気充填排出制御装置は、エアクッションへの空気の充填、及びエアクッションからの空気の排出の両方に使用することができ、空気の充填のみで排出のない従来の装置の問題を解決している。
【００１５】
２．エアクッションへの空気の充填、及びエアクッションからの空気の排出のために、必要性や好みに応じて有線制御と手動制御の両方を利用でき、従って、操作し易く、エアクッションの弾力性の制御が容易になる。
【００１６】
本発明の好ましい形態は、上記の如く記述されているが、種々の変更をしてもよいと認識、理解され、上述の各請求項は、本発明の意図とねらいの範囲内にあるこのような全ての変更を含むことを意図している。
【図面の簡単な説明】
【図１】本発明に係るエアクッションの空気充填排出制御装置の分解斜視図。
【図２】本発明に係るエアクッションの空気充填排出制御装置の断面図。
【図３】本発明に係るエアクッションの空気充填排出制御装置の空気充填状態を示す断面図。
【図４】（ａ），（ｂ）は、本発明に係るエアクッションの空気充填排出制御装置の空気排出状態の第一ステージを示す断面図。
【図５】（ａ），（ｂ）は、本発明に係るエアクッションの空気充填排出制御装置の空気排出状態の第二ステージを示す断面図。
【図１】
2004036466.tif 000003
【図２】
2004036466.tif 000004
【図３】
2004036466.tif 000005
【図４】
2004036466.tif 000006
【図５】
2004036466.tif 000007
【外国語明細書】
2004036466.tif 000008
2004036466.tif 000009
2004036466.tif 000010
2004036466.tif 000011
2004036466.tif 000012
2004036466.tif 000013
2004036466.tif 000014
2004036466.tif 000015
2004036466.tif 000016
2004036466.tif 000017
【ＦｉＧ１】
2004036466.tif 000018
【ＦｉＧ２】
2004036466.tif 000019
【ＦｉＧ３】
2004036466.tif 000020
【ＦｉＧ４】
2004036466.tif 000021
【ＦｉＧ５】
2004036466.tif 000022